(57)【要約】【課題】通信機能を備えた機器の省電力化を可能にすることを目的とする管理システム等を提供する。【解決手段】ホスト装置の情報検出部が開始信号を検出したときには（Ｓ１０１）、電力線電源制御部がスイッチをオンにすると（Ｓ１０２）、クライアント装置は電力供給線から受電する（Ｓ１０３）。すると、クライアント装置のスイッチをオンにし（Ｓ１０４）、その後、ホスト装置との通信を確立させる（Ｓ１０５，１０６）。そして、ホスト装置の判断部が、情報検出部による検出情報に基づき、最適な動作モードを判断し（Ｓ１０７）、情報伝達部は、その最適なモードへの移行をクライアント装置に対して指示すると（Ｓ１０８）、クライアント装置は指示されたモードに移行する（Ｓ１０９）。【選択図】図３
2008099516.tif 000002
【特許請求の範囲】
【請求項１】
情報処理装置と、
通信線及び電力線によって前記情報処理装置に接続される端末装置と、
を含み、
前記情報処理装置は、
監視情報を基に、前記電力線を介して前記端末装置への給電を制御する給電制御手段と、
前記通信線を介して前記端末装置への送信を行う送信手段と、
を備え、前記給電制御手段と前記送信手段により前記端末装置の電源制御及び当該端末装置の消費電力状態の変更を行うことを特徴とする管理システム。
【請求項２】
前記情報処理装置は、監視情報として外部から取得する情報を蓄積する蓄積部を備えることを特徴とする請求項１に記載の管理システム。
【請求項３】
前記情報処理装置は、前記端末装置に送信される情報の受信を代行する代行受信部を備えることを特徴とする請求項１に記載の管理システム。
【請求項４】
前記端末装置が前記情報処理装置に複数接続され、
前記複数の端末装置の各々は、個別に又は所定の群を単位として電源制御及び消費電力状態の変更が行われることを特徴とする請求項１に記載の管理システム。
【請求項５】
前記情報処理装置に接続される別の端末装置を更に含み、
前記情報処理装置は、前記別の端末装置からの指示を受けたときに当該指示を実行する前記端末装置を監視情報を基に特定し、特定した当該端末装置の電源制御及び当該端末装置の消費電力状態の変更を行うことを特徴とする請求項１に記載の管理システム。
【請求項６】
通信線及び電力線によって接続される端末装置への当該電力線を介する給電を監視情報を基に制御する給電制御手段と、
前記通信線を介して前記端末装置への送信を行う送信手段と、
を含み、
前記給電制御手段と前記送信手段により前記端末装置の電源制御及び当該端末装置の消費電力状態の変更を行うことを特徴とする情報処理装置。
【請求項７】
監視情報として外部から取得する情報を蓄積する蓄積部を備えることを特徴とする請求項６に記載の情報処理装置。
【請求項８】
前記端末装置に送信される情報の受信を代行する代行受信部を備えることを特徴とする請求項６に記載の情報処理装置。
【請求項９】
前記端末装置が複数接続されている際に、当該複数の端末装置の各々を、個別に又は所定の群を単位として電源制御及び消費電力状態の変更を行うことを特徴とする請求項６に記載の情報処理装置。
【請求項１０】
通信線及び電力線によって接続される情報処理装置から当該電力線を介して受電する受電手段と、
前記情報処理装置に対し前記通信線を介して自己の情報を通知する通知手段と、
前記受電手段による受電が停止されている間に前記情報処理装置が受信した情報を受電が開始された後に前記通信線を介して取得する取得手段と、
を含む端末装置。
【請求項１１】
通信線及び電力線で接続される端末装置を管理する情報処理装置が備えるコンピュータ装置に、
処理を開始する情報を検出する検出機能と、
前記検出機能の検出結果により前記電力線を介した前記端末装置への給電の有無を切り替える切り替え機能と、
前記切り替え機能により前記端末装置へ給電されると前記通信線を通じた当該端末装置との通信を確立する確立機能と、
を実現させるプログラム。
【請求項１２】
前記コンピュータ装置に、
外部から取得した情報を記憶する記憶機能と、
前記記憶機能により記憶される情報を用いて前記通信線を介した前記端末装置への状態変更を指示する指示機能と、
を更に実現させることを特徴とする請求項１１に記載のプログラム。
【請求項１３】
前記コンピュータ装置に、
前記端末装置に送信された情報の受信を代行する代行受信機能を更に実現させることを特徴とする請求項１１に記載のプログラム。
【発明の詳細な説明】
【技術分野】
【０００１】
本発明は、管理システム、情報処理装置、端末装置及びプログラムに関するものである。
【背景技術】
【０００２】
ネットワークに接続された機器の電力消費量を管理することにより、システム全体の安定した稼働を実現可能な技術が従来から提案されている（例えば、特許文献１参照）。この特許文献１には、ネットワークシステム全体の消費電力を検知しながら、消費電力があるレベルを超えないように、ネットワークシステムを制御し、安定したシステム稼働を実現するサーバ装置及びネットワークシステム並びにそれらの制御方法が開示されている。
【０００３】
【特許文献１】特開２００２−１４２３８５号公報
【発明の開示】
【発明が解決しようとする課題】
【０００４】
本発明は、通信機能を備えた機器の省電力化を可能にすることを目的とする。
【課題を解決するための手段】
【０００５】
かかる目的のもと、本発明が適用される管理システムは、情報処理装置と、通信線及び電力線によって前記情報処理装置に接続される端末装置と、を含み、前記情報処理装置は、監視情報を基に、前記電力線を介して前記端末装置への給電を制御する給電制御手段と、前記通信線を介して前記端末装置への送信を行う送信手段と、を備え、前記給電制御手段と前記送信手段により前記端末装置の電源制御及び当該端末装置の消費電力状態の変更を行うことを特徴とするものである。
【０００６】
ここで、前記情報処理装置は、監視情報として外部から取得する情報を蓄積する蓄積部を備えることを特徴とすることができる。
また、前記情報処理装置は、前記端末装置に送信される情報の受信を代行する代行受信部を備えることを特徴とすることができる。
【０００７】
また、前記端末装置が前記情報処理装置に複数接続され、前記複数の端末装置の各々は、個別に又は所定の群を単位として電源制御及び消費電力状態の変更が行われることを特徴とすることができる。
また、前記情報処理装置に接続される別の端末装置を更に含み、前記情報処理装置は、前記別の端末装置からの指示を受けたときに当該指示を実行する前記端末装置を監視情報を基に特定し、特定した当該端末装置の電源制御及び当該端末装置の消費電力状態の変更を行うことを特徴とすることができる。
【０００８】
他の観点から捉えると、本発明が適用される情報処理装置は、通信線及び電力線によって接続される端末装置への当該電力線を介する給電を監視情報を基に制御する給電制御手段と、前記通信線を介して前記端末装置への送信を行う送信手段と、を含み、前記給電制御手段と前記送信手段により前記端末装置の電源制御及び当該端末装置の消費電力状態の変更を行うことを特徴とするものである。
【０００９】
ここで、監視情報として外部から取得する情報を蓄積する蓄積部を備えることを特徴とすることができる。また、前記端末装置に送信される情報の受信を代行する代行受信部を備えることを特徴とすることができる。また、前記端末装置が複数接続されている際に、当該複数の端末装置の各々を、個別に又は所定の群を単位として電源制御及び消費電力状態の変更を行うことを特徴とすることができる。
【００１０】
また本発明を別の観点から捉えると、本発明が適用される端末装置は、通信線及び電力線によって接続される情報処理装置から当該電力線を介して受電する受電手段と、前記情報処理装置に対し前記通信線を介して自己の情報を通知する通知手段と、前記受電手段による受電が停止されている間に前記情報処理装置が受信した情報を受電が開始された後に前記通信線を介して取得する取得手段と、を含むものである。
【００１１】
更に本発明を別の観点から捉えると、本発明が適用されるプログラムは、通信線及び電力線で接続される端末装置を管理する情報処理装置が備えるコンピュータ装置に、処理を開始する情報を検出する検出機能と、前記検出機能の検出結果により前記電力線を介した前記端末装置への給電の有無を切り替える切り替え機能と、前記切り替え機能により前記端末装置へ給電されると前記通信線を通じた当該端末装置との通信を確立する確立機能と、を実現させるものである。
【００１２】
ここで、前記コンピュータ装置に、外部から取得した情報を記憶する記憶機能と、前記記憶機能により記憶される情報を用いて前記通信線を介した前記端末装置への状態変更を指示する指示機能と、を更に実現させることを特徴とすることができる。また、前記コンピュータ装置に、前記端末装置に送信された情報の受信を代行する代行受信機能を更に実現させることを特徴とすることができる。
【発明の効果】
【００１３】
請求項１によれば、機器における従来の低消費電力状態と比較してさらなる消費電力低減が可能になる。
請求項２によれば、本発明を採用しない場合に比較して機器の電力管理をより適切に行うことが可能になる。
請求項３によれば、機器への給電停止に伴う通信不良の解消が可能になる。
請求項４によれば、複数の機器において従来の低消費電力状態と比較してさらなる消費電力を低減させることが可能になる。
請求項５によれば、本発明を採用しない場合に比較して機器の稼動を制御してさらなる少エネルギー化が可能になる。
請求項６によれば、機器における従来の低消費電力状態と比較してさらなる消費電力低減が可能になる。
請求項７によれば、本発明を採用しない場合に比較して機器の電力管理をより適切に行うことが可能になる。
請求項８によれば、機器への給電停止に伴う通信不良の解消が可能になる。
請求項９によれば、複数の機器において従来の低消費電力状態と比較してさらなる消費電力を低減させることが可能になる。
請求項１０によれば、機器における従来の低消費電力状態と比較してさらなる消費電力低減が可能になる。
請求項１１によれば、機器における従来の低消費電力状態と比較してさらなる消費電力を低減させることが可能になる。
請求項１２によれば、本発明を採用しない場合に比較して機器の電力管理をより適切に行うことが可能になる。
請求項１３によれば、機器への給電停止に伴う通信不良の解消が可能になる。
【発明を実施するための最良の形態】
【００１４】
以下、添付図面を参照して、本発明の実施の形態について詳細に説明する。
図１は、本実施の形態に係る管理システムの概略構成図である。
図１に示すように、ホスト装置（情報処理装置、コンピュータ装置）１には、ケーブルＣＡを介してクライアント装置（上位クライアント装置、機器）２ａ，２ｂ，２ｃが接続されている。また、クライアント装置２ｃには、ケーブルＣＡを介してクライアント装置（下位クライアント装置、機器）３ａ，３ｂ，３ｃが接続されている。このように、本実施の形態では、ツリー構成型のネットワークシステムを採用している。なお、このネットワークシステムは、例えばオフィスに設置することができる。
【００１５】
ここで、ホスト装置１としては、例えば、コンピュータ装置やスイッチングハブ等で構成することが考えられる。また、クライアント装置２ａ〜２ｃ，３ａ〜３ｃとしては、オフィス機器で構成することが考えられ、具体的には、例えば画像形成装置、プリンタ又はパソコン等であり、また、ネットワークに接続された各種の家電製品等の場合も考えられる。なお、本実施の形態では、ホスト装置１とクライアント装置２ａ〜２ｃ，３ａ〜３ｃを明確に分けて説明するが、ホスト装置１がクライアント装置２ａ〜２ｃ，３ａ〜３ｃを兼用する場合も考えられる。
【００１６】
また、ここにいうケーブル（ネットケーブル）ＣＡとは、データ通信線（通信線）Ｃｄ及び電力供給線（電力線）Ｃｐが一対となって構成されたものをいう（図２参照）。すなわち、ケーブルＣＡのデータ通信線Ｃｄにより、ホスト装置１とクライアント装置２ａ〜２ｃとの間及びクライアント装置２ｃとクライアント装置３ａ〜３ｃとの間でデータの授受が行われる。そして、ケーブルＣＡの電力供給線Ｃｐにより、ホスト装置１はクライアント装置２ａ〜２ｃに電力を供給（給電）することが可能であり、また、クライアント装置２ｃはクライアント装置３ａ〜３ｃに電力を供給することが可能である。このように、本実施の形態では、データ送受信及び電力供給が可能な１本のケーブルＣＡで装置同士を接続している。言い換えると、ホスト装置１及びクライアント装置２ａ〜２ｃ，３ａ〜３ｃは、上位下位の関係において給電ネットワーク接続されている。
【００１７】
なお、ケーブルＣＡの電力供給線Ｃｐにより、例えば３６〜５７Ｖの入力電圧で、最大で１２．９５Ｗの電力供給が可能である。このため、小電力の機器であれば、自ら電源を準備することなく動作可能である。本実施の形態におけるクライアント装置２ａ〜２ｃとしての画像形成装置については、ケーブルＣＡの電力供給線Ｃｐのほかに、ＡＣ電源が駆動用電源として準備されている。このような電力供給として、パワーオーバイーサネット（登録商標）(Power-over-Ethernet（登録商標）)接続のような給電ネットワーク接続を介してクライアント装置２ａ〜２ｃ，３ａ〜３ｃに電力の供給やデータの授受を行うＩＥＥＥ８０２．３ａｆという標準規格を採用することも考えられる。
また、上記ではデータ通信線（通信線）Ｃｄ及び電力供給線（電力線）Ｃｐが一対となって構成されたものを示しているが、データ通信線（通信線）に電力を重畳させる構成であっても本発明の効果は変わらない。
【００１８】
〔第１の実施の形態〕
図２は、第１の実施の形態に係るホスト装置１１及びクライアント装置２１の構成を説明するためのブロック図である。
図２に示すように、ホスト装置１１は、情報検出部（トリガ検出部）１１１と電力線電源制御部１１２と情報伝達部１１３と判断部１１４とスイッチＳＷ１とを備えている。
情報検出部１１１は、例えば、ネットワークシステムが設置されているオフィスの照明が点灯したこと又は外光の量が増加したことを検出するセンサ（明るさ情報の検出部）で構成することができる。また、情報検出部１１１は、その他の各種の情報を検出するセンサで構成することができる。このセンサとしては、例えば、オフィスのドアの開錠やオフィスの消費電力量、オフィス内の騒音等のオフィス稼動情報を検出したり、クライアント装置２１への原稿セット等のコピー稼動開始情報を検出したり、タイマー等の時刻情報を検出したりするセンサが考えられる。また、情報検出部１１１におけるセンサとしては、例えば、印刷履歴、通信量、電力量、通電時間等の監視情報を検出したり、ファクシミリ受信、プリント指示等の受信情報を検出したり、下位のクライアント装置（図１の符号３ａ〜３ｃ）の動作情報（印刷指示処理情報、状態情報、電源オフ／オン情報、使用情報、復帰時間等）を検出したり、セキュリティの有無の情報を検出したりするセンサが考えられる。
このように、情報検出部１１１は、そのようなオフィス内での人の稼動（監視情報、開始信号、開始情報）等を検出することができるように構成されている。
【００１９】
電力線電源制御部１１２は、情報検出部１１１の検出結果によりスイッチＳＷ１を切り替える。更に説明すると、電力線電源制御部１１２によりスイッチＳＷ１がオンにされると、クライアント装置２１には、ケーブルＣＡの電力供給線Ｃｐを通じて給電される。また、電力線電源制御部１１２によりスイッチＳＷ１がオフにされると、クライアント装置２１への給電が遮断される。
なお、電力線電源制御部１１２を、情報検出部１１１の検出結果に基づいてスイッチＳＷ１を切り替えるべきかを判別し、クライアント装置２１への給電を開始すべきとの判別結果に至ったときには、スイッチＳＷ１をオンに切り替えるように構成することも考えられる。
【００２０】
情報伝達部１１３は、クライアント装置２１との間で、ケーブルＣＡのデータ通信線Ｃｄを介する通信を確立するためのものであり、かつ、クライアント装置２１以外からのデータを授受するためのものである。また、判断部１１４は、情報検出部１１１により検出された情報やクライアント装置２１から取得した情報等を基にしてクライアント装置２１の最適なモード（状態）を判断する。
【００２１】
また、図２に示すように、クライアント装置２１は、電源制御部２１１と電源装置２１２とエンジン制御部２１３とネットワーク制御部２１４とを備えている。そして、電源制御部２１１は、受電監視部２１１１、受電制御部２１１２及びスイッチＳＷ２を有する。
なお、図２のクライアント装置２１内において、電源制御部２１１とネットワーク制御部２１４との間を結ぶ両端矢印の実線は電力供給路を示し、両端矢印の破線はデータ通信路を示している。また、エンジン制御部２１３とネットワーク制御部２１４との間を結ぶ両端矢印の破線はデータ通信路を示している。
【００２２】
電源制御部２１１の受電監視部２１１１及び受電制御部２１１２は、ホスト装置１１から供給される電力により作動する。そして、受電監視部２１１１は、ホスト装置１１からの給電の有無を監視し、受電制御部２１１２は、受電監視部２１１１の監視結果に応じて、スイッチＳＷ２の切り替えを行う。すなわち、受電監視部２１１１がホスト装置１１からの給電があることを検出すると、それを受電制御部２１１２に送信し、受電制御部２１１２は、スイッチＳＷ２をオンに切り替える。また、受電監視部２１１１がホスト装置１１からの給電が遮断されたことを検出すると、それを受電制御部２１１２に送信し、受電制御部２１１２は、スイッチＳＷ２をオフに切り替える。更に説明すると、受電制御部２１１２によりスイッチＳＷ２がオンにされると、図示しないＡＣ電源からの電力が電源装置２１２に給電される。また、受電制御部２１１２によりスイッチＳＷ２がオフにされると、図示しないＡＣ電源から電源装置２１２への給電が遮断される。
【００２３】
電源装置２１２は、クライアント装置２１に内蔵されている低圧電源（ＬＶＰＳ:low voltage power supply）であり、スイッチＳＷ２のオンによりＡＣ電源が供給されると、エンジン制御部２１３及びネットワーク制御部２１４へ給電する。なお、ネットワーク制御部２１４には、電源装置２１２からの給電のほかに、ホスト装置１１から供給された電力を電源制御部２１１から給電可能であり、そのため、図示しないスイッチにより、いずれか一方から給電されるように構成されている。
【００２４】
エンジン制御部２１３は、画像形成装置の各部（各装置）を制御するためのものであり、例えば電子写真方式を用いた画像形成装置の場合には、図示しない露光装置や感光体ドラム、定着装置等を駆動制御するためのものである。
【００２５】
ネットワーク制御部２１４は、電源制御部２１１又は電源装置２１２からの給電により作動するものであり、給電されると、データ通信線Ｃｄを通じたホスト装置１１の情報伝達部１１３との間での通信の確立及び各種データの授受を行う。更に説明すると、ネットワーク制御部２１４と情報伝達部１１３との間では、例えば稼動しているクライアント装置の台数の制御や、生産性制御等のためのデータの授受が行われるように構成することができる。
また、ネットワーク制御部２１４は、電源制御部２１１との間でのデータの授受及びエンジン制御部２１３との間でのデータの授受を行う。
【００２６】
図３は、ホスト装置１１及びクライアント装置２１の処理手順を示すフローチャートである。
図３に示すフローチャートでは、ホスト装置１１の情報検出部１１１が開始信号を検出すると（ステップ１０１）、それを電力線電源制御部１１２に通知する。通知を受けた電力線電源制御部１１２は、それまでオフであったスイッチＳＷ１をオンにする（ステップ１０２）。これにより、クライアント装置２１は、電力供給線Ｃｐから受電する（ステップ１０３）。すなわち、クライアント装置２１の電源制御部２１１は、電力供給線Ｃｐから電力供給を受ける。電源制御部２１１の受電監視部２１１１が受電を検出すると、それを受電制御部２１１２に通知する。通知を受けた受電制御部２１１２は、それまでオフであったスイッチＳＷ２をオンにする（ステップ１０４）。また、電力供給線Ｃｐから受電する電源制御部２１１は、ネットワーク制御部２１４に電力供給する。
【００２７】
ネットワーク制御部２１４は、電力供給を受けると、ホスト装置１１の情報伝達部１１３との間でデータ通信線Ｃｄを介する通信が確立するように作動する（ステップ１０５，１０６）。通信確立後には、ホスト装置１１の判断部１１４が、情報検出部１１１により検出された各種の情報に基づき、クライアント装置２１のモード（動作モード）が何であれば最適なのかを判断する（ステップ１０７）。その後、情報伝達部１１３は、判断部１１４により判断された最適なモードへの移行をクライアント装置２１に対して指示する（ステップ１０８）。なお、判断部１１４は、クライアント装置２１の必要な動作を予測して最適なモードを決定するように構成することも考えられる。
【００２８】
クライアント装置２１において、ネットワーク制御部２１４がホスト装置１１からの指示を受け付けると、その指示内容をエンジン制御部２１３に知らせる。そして、エンジン制御部２１３は、ホスト装置１１により指示されたモードに移行する（ステップ１０９）。
【００２９】
ここで、最適なモードとしては、例えば、省電力モード（省エネモード）、起動／停止、生産性優先の印刷指示の変更等である。なお、ここにいう省電力モードとは、待機状態において消費電力の少ない状態で待機するモードをいう。
また、判断部１１４が判断に使用する情報としては、印刷指示のあった印刷すべき量（ジョブ量）、通信量、電力供給線Ｃｐによる供給電力量、クライアント装置２１／ホスト装置１１の消費電力量、通電開始からの経過時間（通電時間）、通信ポートの数、電力供給線Ｃｐにより供給されるポートの数又は接続機器から取得した情報などを挙げることができる。
【００３０】
本実施の形態では、ホスト装置１１が各種情報をリアルタイムに検出してクライアント装置２１の動作状態を制御する構成である。更に説明すると、本実施の形態では、ホスト装置１１が各種情報からクライアント装置２１の必要な動作を判断ないし予測して、クライアント装置２１の動作の切り替えを電力供給線Ｃｐにおける電力の供給有無にて行い、また、動作状況の確認や待機モードの変更についてはデータ通信線Ｃｄを通じて行っている。
【００３１】
〔第２の実施の形態〕
図４は、第２の実施の形態に係るホスト装置１２及びクライアント装置２２の構成を説明するためのブロック図である。
図４に示すように、ホスト装置１２とクライアント装置２２とは、電力供給線Ｃｐ及びデータ通信線ＣｄからなるケーブルＣＡにより互いに接続されている。
図４に示すホスト装置１２の基本的な構成は、図２に示すホスト装置１１と同一である。すなわち、ホスト装置１２は、情報検出部１２１、電力線電源制御部１２２、情報伝達部１２３及び判断部１２４を備えている。これらは夫々、ホスト装置１１における情報検出部１１１、電力線電源制御部１１２、情報伝達部１１３及び判断部１１４と同じ構成のものを用いることができる。また、ホスト装置１２は、ホスト装置１１と同じスイッチＳＷ１を備えている。
【００３２】
ここで、ホスト装置１２は、情報蓄積部１２５を備えている。この情報蓄積部１２５は、例えば、通電時間、印刷指示の履歴、通信量、電力量、ユーザの入退出情報又はオフィス照明の点灯情報などの様々な過去の情報が蓄積される。これらの過去の情報は、情報検出部１２１により検出された情報やクライアント装置２２から取得した情報等である。
なお、判断部１２４は、情報検出部１２１により検出された情報や情報蓄積部１２５に蓄積されている情報、クライアント装置２２から取得した情報等を基にしてクライアント装置２２の最適なモード（状態）を判断する。
【００３３】
図４に示すクライアント装置２２は、図２に示すクライアント装置２１と同一である。すなわち、クライアント装置２２は、電源制御部２２１、電源装置２２２、エンジン制御部２２３及びネットワーク制御部（通知手段、取得手段）２２４を備えている。これらは夫々、クライアント装置２１における電源制御部２１１、電源装置２１２、エンジン制御部２１３及びネットワーク制御部２１４と同じ構成のものを用いることができる。
クライアント装置２２の電源制御部２２１は、受電監視部（受電手段）２２１１及び受電制御部（受電手段）２２１２を備えている。これらは夫々、クライアント装置２１における受電監視部２１１１及び受電制御部２１１２と同じ構成のものを用いることができる。また、電源制御部２２１は、クライアント装置２１と同じくスイッチＳＷ２を備えている。
【００３４】
図５は、ホスト装置１２及びクライアント装置２２の処理手順を示すフローチャートである。
図５に示すフローチャートは、クライアント装置２２を停止状態にする場合の処理手順を示している。すなわち、スイッチＳＷ１，ＳＷ２（図４参照）が共にオンの状態から、いずれもオフにする手順を例示している。
具体的に説明すると、図５に示すフローチャートでは、ホスト装置１２の判断部１２４が、情報蓄積部１２５に蓄積されている情報を読み出す（ステップ２０１）。判断部１２４が、読み出した情報から現状ではクライアント装置２２の使用頻度が低いと判断ないし予測すると（ステップ２０２）、電力線電源制御部１２２は、それまでオンであったスイッチＳＷ１をオフにする（ステップ２０３）。これにより、電力供給線Ｃｐを通じたクライアント装置２２への給電は停止する。
クライアント装置２２の電源制御部２２１において、受電監視部２２１１は、給電の停止を検出すると（ステップ２０４）、検出結果を受電制御部２２１２に通知する。通知を受けた受電制御部２２１２は、それまでオンであったスイッチＳＷ２をオフにする（ステップ２０５）。スイッチＳＷ２がオフになると、電源装置２２２が停止し、これにより、クライアント装置２２の駆動用電力が遮断され、停止状態になる。
【００３５】
図６は、ホスト装置１２及びクライアント装置２２の処理手順を示すフローチャートである。
図６に示すフローチャートは、クライアント装置２２を省電力モードに移行する場合の処理手順を示している。すなわち、スイッチＳＷ１，ＳＷ２（図４参照）が共にオンの状態から、スイッチＳＷ２をオフにする手順を例示している。
具体的に説明すると、図６に示すフローチャートでは、ホスト装置１２の判断部１２４が、情報蓄積部１２５に蓄積されている情報を読み出す（ステップ３０１）。判断部１２４が、読み出した情報から現状ではクライアント装置２２の使用頻度が低いと判断ないし予測すると（ステップ３０２）、判断部１２４は、クライアント装置２２に対して省電力モードへの移行を指示する（ステップ３０３）。すなわち、判断部１２４は、情報伝達部１２３を通じてネットワーク制御部２２４に省電力モードとなるように指示する。
【００３６】
指示を受けたネットワーク制御部２２４は、エンジン制御部２２３に省電力モードに移行することを通知する。また、ネットワーク制御部２２４は、電源制御部２２１に通知する。すると、電源制御部２２１のスイッチＳＷ２が受電制御部２２１２によりオフになる（ステップ３０４）。
【００３７】
このようにしてスイッチＳＷ２がオフとなるが、スイッチＳＷ１はオンのままであるので、電力供給線Ｃｐを通じてクライアント装置２２には給電される。したがって、ネットワーク制御部２２４等の監視に必要な最低限の部位については、電力供給線Ｃｐを通じて電力が供給される。このようにして、クライアント装置２２は、省電力モードに移行する（ステップ３０５）。
【００３８】
ここで、図６を用いて説明したように、クライアント装置２２が省電力モードの場合において、ホスト装置１２がクライアント装置２２を通常のモードに戻すときの処理手順を簡単に説明する。すなわち、判断部１２４が情報伝達部１２３を通じてネットワーク制御部２２４に通常のモードに戻るように指示すると、ネットワーク制御部２２４は、電源制御部２２１に通知し、スイッチＳＷ２が受電制御部２２１２によりオンになる。また、ネットワーク制御部２２４は、エンジン制御部２２３にも通知する。
【００３９】
本実施の形態では、ホスト装置１２が過去の蓄積データを基にクライアント装置２２の動作状態を制御する構成である。更に説明すると、本実施の形態では、ホスト装置１２が過去の各種情報からクライアント装置２２の必要な動作を判断及び予測して、クライアント装置２２のオン／オフを電力供給線Ｃｐにおける電力の供給有無にて行い、また、動作状況の確認や待機モードの変更についてはデータ通信線Ｃｄを通して行っている。
【００４０】
〔第３の実施の形態〕
図７は、第３の実施の形態に係るホスト装置１３及びクライアント装置２３の構成を説明するためのブロック図である。
図７に示すように、ホスト装置１３とクライアント装置２３とは、電力供給線Ｃｐ及びデータ通信線ＣｄからなるケーブルＣＡにより互いに接続されている。
図７に示すホスト装置１３は、図２に示すホスト装置１１と基本構成が同じであり、情報検出部１３１、電力線電源制御部１３２、情報伝達部１３３及び判断部１３４を備えている。これらは夫々、ホスト装置１１における情報検出部１１１、電力線電源制御部１１２、情報伝達部１１３及び判断部１１４と同じ構成のものを用いることができる。また、ホスト装置１３は、ホスト装置１１と同じくスイッチＳＷ１を備えている。
【００４１】
ここで、ホスト装置１３は、代行受信部１３６を備えている。この代行受信部１３６は、外部からのファクシミリ／プリント指示の受信があったときに一時的に受信データを蓄積する。なお、判断部１３４は、情報検出部１３１により検出された情報やクライアント装置２３から取得した情報等を基にしてクライアント装置２３の最適なモード（状態）を判断する。また、判断部１３４は、代行受信部１３６に蓄積されている受信データを出力するクライアント装置２３を特定する。
【００４２】
図７に示すクライアント装置２３は、図２に示すクライアント装置２１と同一である。すなわち、クライアント装置２３は、電源制御部２３１、電源装置２３２、エンジン制御部２３３及びネットワーク制御部２３４を備えている。これらは夫々、クライアント装置２１における電源制御部２１１、電源装置２１２、エンジン制御部２１３及びネットワーク制御部２１４と同じ構成のものを用いることができる。
クライアント装置２３の電源制御部２３１は、受電監視部２３１１及び受電制御部２３１２を備えている。これらは夫々、クライアント装置２１における受電監視部２１１１及び受電制御部２１１２と同じ構成のものを用いることができる。また、電源制御部２３１は、クライアント装置２１と同じくスイッチＳＷ２を備えている。
【００４３】
図８は、ホスト装置１３及びクライアント装置２３の処理手順を示すフローチャートである。
図８に示すフローチャートは、給電が停止されているクライアント装置２３に代わって、監視状態のホスト装置１３が受信（代行受信）する場合の処理手順を示している。具体的に説明すると、ホスト装置１３の代行受信部１３６が外部からのファクシミリを代行受信すると（ステップ４０１）、ホスト装置１３の情報検出部１３１が開始信号を検出するまで待機する。すなわち、オフィスが無人の夜間にファクシミリを受信したときには、ユーザがオフィスに来るまでファクシミリの内容を印刷せずに待機している。言い換えると、本実施の形態では、夜間にファクシミリを受信したら直ちにクライアント装置２３を稼動させてその内容を印刷（逐次印刷）するのではなく、ユーザが出社する朝方にクライアント装置２３を稼動させて、それまでに受信したファクシミリの内容をまとめて印刷（一括印刷）するようにしている。
【００４４】
そして、情報検出部１３１が開始信号を検出すると（ステップ４０２）、それを判断部１３４に通知する。通知を受けた判断部１３４は、ホスト装置１３に接続されている複数のクライアント装置の中から、代行受信したファクシミリの内容を印刷するクライアント装置２３を特定する（ステップ４０３）。そして、電力線電源制御部１３２は、特定されたクライアント装置２３に給電するために、それまでオフであったスイッチＳＷ１をオンにする（ステップ４０４）。これにより、特定したクライアント装置２３は、電力供給線Ｃｐから受電する（ステップ４０５）。すなわち、クライアント装置２３の電源制御部２３１は、電力供給線Ｃｐから電力供給を受ける。電源制御部２３１の受電監視部２３１１が受電を検出すると、それを受電制御部２３１２に通知する。通知を受けた受電制御部２３１２は、それまでオフであったスイッチＳＷ２をオンにする（ステップ４０６）。また、電力供給線Ｃｐから受電する電源制御部２３１は、ネットワーク制御部２３４に電力供給する。
【００４５】
このように、ホスト装置１３に接続されている複数のクライアント装置のすべてに給電するのではなく、印刷に必要なクライアント装置２３に対して給電して起動させることで、クライアント装置の稼働台数を制御している。なお、起動するクライアント装置の数は必ずしも１台とは限らず、例えば複数のクライアント装置で印刷指示を分担するように制御することも考えられる。
【００４６】
図８に戻って説明を続けると、ネットワーク制御部２３４は、電力供給を受けると、ホスト装置１３の情報伝達部１３３との間でデータ通信線Ｃｄを介する通信が確立するように作動する（ステップ４０７，４０８）。通信確立後には、ホスト装置１３の情報伝達部１３３が、特定されたクライアント装置２３に対し、代行受信部１３６に蓄積されている受信データを印刷情報としてデータ通信線Ｃｄを介して送信する（ステップ４０９）。そして、ネットワーク制御部２３４が受信した印刷情報をエンジン制御部２３３に送ると、エンジン制御部２３３は、印刷情報の印刷を実行する（ステップ４１０）。
【００４７】
〔第４の実施の形態〕
図９は、第４の実施の形態に係るホスト装置１４及びクライアント装置２４ａ，２４ｂ，２４ｃの構成を説明するためのブロック図である。
図９に示すように、ホスト装置１４とクライアント装置２４ａとは、電力供給線Ｃｐａ及びデータ通信線ＣｄａからなるケーブルＣＡａにより互いに接続されている。また、ホスト装置１４とクライアント装置２４ｂとは、電力供給線Ｃｐｂ及びデータ通信線ＣｄｂからなるケーブルＣＡｂにより互いに接続されている。ホスト装置１４とクライアント装置２４ｃとは、電力供給線Ｃｐｃ及びデータ通信線ＣｄｃからなるケーブルＣＡｃにより互いに接続されている。
【００４８】
図９に示すホスト装置１４の基本的な構成は、図２に示すホスト装置１１と同一である。すなわち、ホスト装置１４は、情報検出部１４１、電力線電源制御部１４２、情報伝達部１４３及び判断部１４４を備えている。これらは夫々、ホスト装置１１における情報検出部１１１、電力線電源制御部１１２、情報伝達部１１３及び判断部１１４と同じ構成のものを用いることができる。
【００４９】
また、ホスト装置１４は、情報蓄積部１４５及び代行受信部１４６を備えている。この情報蓄積部１４５は、ホスト装置１２の情報蓄積部１２５と同じ構成のものを用いることができる。代行受信部１４６は、ホスト装置１４の代行受信部１３６と同じ構成のものを用いることができる。
【００５０】
また、ホスト装置１４は、スイッチＳＷ１ａ，ＳＷ１ｂ，ＳＷ１ｃを備えている。これらのスイッチＳＷ１ａ，ＳＷ１ｂ，ＳＷ１ｃはいずれも、ホスト装置１１におけるスイッチＳＷ１と同じ構成のものを用いることができる。更に説明すると、これらのスイッチＳＷ１ａ，ＳＷ１ｂ，ＳＷ１ｃの各々は、電力線電源制御部１４２により個別にオン／オフする。
【００５１】
図９に示すクライアント装置２４ａ，２４ｂ，２４ｃはいずれも、図２に示すクライアント装置２１と同一である。すなわち、クライアント装置２４ａ，２４ｂ，２４ｃは、電源制御部、電源装置、エンジン制御部及びネットワーク制御部を備えている。これらは夫々、クライアント装置２１における電源制御部２１１、電源装置２１２、エンジン制御部２１３及びネットワーク制御部２１４と同じ構成のものを用いることができる。
なお、クライアント装置２４ａ，２４ｂ，２４ｃの各々の電源制御部は、図示しない受電監視部及び受電制御部を備えている。これらは夫々、クライアント装置２１における受電監視部２１１１及び受電制御部２１１２と同じ構成のものを用いることができる。また、クライアント装置２４ａ，２４ｂ，２４ｃの各々の電源制御部は、クライアント装置２１のスイッチＳＷ２と同じ構成の図示しないスイッチを備えている。
【００５２】
本実施の形態におけるホスト装置１４は、第１の実施の形態のホスト装置１１、第２の実施の形態のホスト装置１２及び第３の実施の形態のホスト装置１３の機能のすべてを包含して構成されている。
【００５３】
更に説明すると、ホスト装置１４では、情報検出部１４１による各種の検出情報、情報蓄積部１４５の蓄積情報及び／又はクライアント装置２４ａ，２４ｂ，２４ｃから取得した情報を基に、判断部１４４が必要なクライアント装置の数や最適なモードを予測する。すなわち、ホスト装置１４は、必要なクライアント装置の数だけ起動させて残りのクライアント装置を停止させる。また、ホスト装置１４は、個別に又は所定のグループ単位でクライアント装置の動作モードを省電力モードに移行させたり解除したりする。
【００５４】
また、ホスト装置１４は、情報検出部１４１による各種の検出情報、情報蓄積部１４５の蓄積情報及び／又はクライアント装置２４ａ，２４ｂ，２４ｃから取得した情報を基に、クライアント装置としての画像形成装置における印刷速度などの生産性を調整するものである。すなわち、ホスト装置１４は、クライアント装置２４ａ，２４ｂ，２４ｃの動作モードを、印刷速度が高い高生産性モード又は印刷速度が低い低生産性モードに移行したり解除したりして最適な動作モードに制御する。また、ホスト装置１４は、例えば、クライアント装置としての画像形成装置（複合機）が印刷しているときにはスキャナ機能を停止させる低電力動作モードに移行したり解除したりして最適な動作モードに制御する。これらの制御は、クライアント装置２４ａ，２４ｂ，２４ｃの各々又は所定のグループ単位で行うことも考えられる。また、上述した各種のモードを複合的に制御することも考えられる。
【００５５】
また、ホスト装置１４は、例えば、早朝や昼休み、夜間などのクライアント装置２４ａ，２４ｂ，２４ｃの稼働率の低い時間帯には、各クライアント装置２４ａ，２４ｂ，２４ｃへの電力供給線Ｃｐａ，Ｃｐｂ，Ｃｐｃを通じた給電を停止し、クライアント装置２４ａ，２４ｂ，２４ｃを全体の１０パーセント程度の稼動に制限するように制御することも考えられる。また、ホスト装置１４は、システム全体又はクライアント装置２４ａ，２４ｂ，２４ｃの消費電力量を配電設備の許容限度以下に調整するように制御することも考えられる。また、ホスト装置１４では、クライアント装置２４ａ，２４ｂ，２４ｃの稼動情報を収集して印刷指示量が多いと判断部１４４が判断すると、連係動作モードに移行して代替のクライアント装置に割り振る（分散処理する）ように制御することも考えられる。
【００５６】
以上、ホスト装置１４とクライアント装置２４ａ，２４ｂ，２４ｃとの間の制御について説明したが、図１に示すホスト装置１及びクライアント装置２ｃとクライアント装置３ａ，３ｂ，３ｃとの間についても同様に制御することが可能である。
【００５７】
〔第５の実施の形態〕
図１０は、第５の実施の形態に係るホスト装置１５、クライアント装置２５ａ及びオプション機器２５ｂ，２５ｃの構成を説明するためのブロック図である。
図１０に示すように、ホスト装置１５とクライアント装置２５ａとは、電力供給線Ｃｐａ及びデータ通信線ＣｄａからなるケーブルＣＡａにより互いに接続されている。また、ホスト装置１５とオプション機器２５ｂとは、電力供給線Ｃｐｂ及びデータ通信線ＣｄｂからなるケーブルＣＡｂにより互いに接続されている。ホスト装置１５とオプション機器２５ｃとは、電力供給線Ｃｐｃ及びデータ通信線ＣｄｃからなるケーブルＣＡｃにより互いに接続されている。
【００５８】
図１０に示すホスト装置１５の基本的な構成は、図９に示すホスト装置１４と同一である。すなわち、ホスト装置１５は、情報検出部１５１、電力線電源制御部１５２、情報伝達部１５３、判断部１５４、情報蓄積部１５５及び代行受信部１５６を備えている。これらは夫々、ホスト装置１４における情報検出部１４１、電力線電源制御部１４２、情報伝達部１４３、判断部１４４、情報蓄積部１４５及び代行受信部１４６と同じ構成のものを用いることができる。
また、ホスト装置１５は、ホスト装置１４と同じくスイッチＳＷ１ａ，ＳＷ１ｂ，ＳＷ１ｃを備えている。
【００５９】
図１０に示すクライアント装置２５ａは、図２に示すクライアント装置２１と同一である。すなわち、クライアント装置２５ａは、電源制御部２５１ａ、電源装置２５２ａ、エンジン制御部２５３ａ及びネットワーク制御部２５４ａを備えている。これらは夫々、クライアント装置２１における電源制御部２１１、電源装置２１２、エンジン制御部２１３及びネットワーク制御部２１４と同じ構成のものを用いることができる。
なお、クライアント装置２５ａの電源制御部２５１ａは、クライアント装置２１における受電監視部２１１１及び受電制御部２１１２と同じ構成の図示しない受電監視部及び受電制御部を備えている。また、クライアント装置２５ａの電源制御部２５１ａは、クライアント装置２１のスイッチＳＷ２と同じ構成の図示しないスイッチを備えている。
【００６０】
ここで、クライアント装置２５ａは、インターフェース部２５５ａを備えている。このインターフェース部２５５ａは、オプション機器２５ｃとの間での情報のやり取りを行う機能を有する部分である。
【００６１】
図１０に示すオプション機器２５ｂ，２５ｃは、クライアント装置２５ａ単独で、又はホスト装置１５を含む複数の装置にて共有する機器であり、例えば、オプション機器２５ｂとしては、無線ＬＡＮ装置をその一例としてあげることができる。
【００６２】
図１１Ａ及び図１１Ｂは、ホスト装置１５、クライアント装置２５ａ及びオプション機器２５ｂの処理手順を示すフローチャートである。なお、図１１Ａの処理手順の続きが図１１Ｂに図示されている。また、図１１Ａ及び図１１Ｂでは、オプション機器２５ｂの場合を例示しているが、オプション機器２５ｃの場合も同様に説明することができる。
図１１Ａ及び図１１Ｂに示すフローチャートは、クライアント装置２５ａへの給電が停止されている場合において、ユーザからの印刷指示をオプション機器２５ｂが受信したときの処理手順を示している。
具体的には、オプション機器２５ｂとしての無線ＬＡＮ装置がユーザからの印刷指示を受信すると（ステップ５０１）、情報検出部１５１は、オプション機器２５ｂが印刷指示を受信したことを開始信号として検出し、それを判断部１５４に通知する。すると、判断部１５４は、情報蓄積部１５５から蓄積情報を読み出し（ステップ５０２）、読み出した蓄積情報と印刷指示の内容とから、ホスト装置１５に接続されている複数のクライアント装置の各々の性能や設置場所等の情報を基に、複数のクライアント装置の中から、印刷指示を実行するのに最適なクライアント装置２５ａを特定する（ステップ５０３）。そして、電力線電源制御部１５２は、特定されたクライアント装置２５ａに給電するために、それまでオフであったスイッチＳＷ１ａをオンにする（ステップ５０４）。これにより、特定したクライアント装置２５ａは、電力供給線Ｃｐａから受電する（ステップ５０５）。電源制御部２５１ａでは、電力供給線Ｃｐａからの受電を検出すると、それまでオフであった図示しないスイッチをオンにする（ステップ５０６）。また、電力供給線Ｃｐａから受電する電源制御部２５１ａは、ネットワーク制御部２５４ａに電力供給する。
【００６３】
ネットワーク制御部２５４ａは、電力供給を受けると、ホスト装置１５の情報伝達部１５３との間でデータ通信線Ｃｄａを介する通信が確立するように作動する（ステップ５０７，５０８）。通信確立後には、判断部１５４は、データ通信線Ｃｄａを通じてクライアント装置２５ａに印刷指示を送信する（ステップ５０９）。すると、印刷指示を受信したクライアント装置２５ａは、ホスト装置１５を経由して印刷情報をオプション機器２５ｂに要求する。すなわち、クライアント装置２５ａのネットワーク制御部２５４ａは、オプション機器２５ｂに対する印刷情報の要求信号を、データ通信線Ｃｄａを通じてホスト装置１５に送信する（ステップ５１０）。ホスト装置１５の情報伝達部１５３がその要求信号を受信すると、データ通信線Ｃｄｂを通じてオプション機器２５ｂに転送する（ステップ５１１）。
その要求信号を受信したオプション機器２５ｂは、ホスト装置１５の情報伝達部１５３に印刷情報をデータ通信線Ｃｄｂを通じてホスト装置１５の情報伝達部１５３に送信する（ステップ５１２）。ホスト装置１５の情報伝達部１５３がその印刷情報を受信すると、データ通信線Ｃｄａを通じてクライアント装置２５ａのネットワーク制御部２５４ａに転送する（ステップ５１３）。
クライアント装置２５ａのネットワーク制御部２５４ａが印刷情報を受信すると、エンジン制御部２５３ａにそれを転送し、エンジン制御部２５３ａは、転送された印刷情報の印刷を実行する（ステップ５１４）。
【００６４】
ここで、電力線電源制御部１５２は、オプション機器２５ｂとの間にもデータ通信線Ｃｄｂを介した通信を確立する。そして、ホスト装置１５は、データ通信線Ｃｄｂを通じて、印刷情報の印刷がクライアント装置２５ａにより実行されることを、印刷情報を送信したユーザに通知する。
【００６５】
なお、本実施の形態では、オプション機器２５ｂが印刷情報を受信したら直ちにクライアント装置２５ａが印刷情報の印刷を実行する場合を説明したが、第３の実施の形態のように、ホスト装置１３の代行受信部１３６が代行受信して、適切なタイミングで印刷情報の印刷を実行するように行うことも考えられる。また、情報蓄積部１５５に蓄積される蓄積情報は、情報検出部１５１が検出した検出情報を基に常に更新されるように構成されることにより、常に印刷指示の印刷を実行するクライアント装置として最適なものが特定される。また、クライアント装置の印刷指示を行う優先度を変更することも考えられる。
【００６６】
ここで、上述した実施の形態に示す各種処理は、ホスト装置１１，１２，１３，１４，１５の作業用メモリを用いて、判断部１１４，１２４，１３４，１４４，１４５にて実行されるアプリケーションプログラムで実現される。このアプリケーションプログラムは、
コンピュータであるホスト装置１１，１２，１３，１４，１５を顧客（ユーザを含む）に対して提供する際に、装置の中にインストールされた状態にて提供される場合の他、コンピュータに実行させるプログラムをコンピュータが読取可能に記憶した記憶媒体等にて提供する形態が考えられる。この記憶媒体としては、例えばＣＤ−ＲＯＭ媒体等が該当し、ＣＤ−ＲＯＭ読取装置（図示せず）等によってプログラムが読み取られて実行される。また、これらのプログラムは、例えばプログラム伝送装置（図示せず）によってネットワークを介し、ネットワークインタフェースを経由して提供される形態がある。このプログラム伝送装置としては、例えば、ホスト装置１１，１２，１３，１４，１５に設けられ、プログラムを格納するメモリと、ネットワークを介してプログラムを提供するプログラム伝送手段とを備えている。
【図面の簡単な説明】
【００６７】
【図１】本実施の形態に係る管理システムの概略構成図である。
【図２】第１の実施の形態に係るホスト装置及びクライアント装置の構成を説明するためのブロック図である。
【図３】ホスト装置及びクライアント装置の処理手順を示すフローチャートである。
【図４】第２の実施の形態に係るホスト装置及びクライアント装置の構成を説明するためのブロック図である。
【図５】ホスト装置及びクライアント装置の処理手順を示すフローチャートである。
【図６】ホスト装置及びクライアント装置の処理手順を示すフローチャートである。
【図７】第３の実施の形態に係るホスト装置及びクライアント装置の構成を説明するためのブロック図である。
【図８】ホスト装置及びクライアント装置の処理手順を示すフローチャートである。
【図９】第４の実施の形態に係るホスト装置及びクライアント装置の構成を説明するためのブロック図である。
【図１０】第５の実施の形態に係るホスト装置、クライアント装置及びオプション機器の構成を説明するためのブロック図である。
【図１１Ａ】ホスト装置、クライアント装置及びオプション機器の処理手順を示すフローチャートである。
【図１１Ｂ】ホスト装置、クライアント装置及びオプション機器の処理手順を示すフローチャートである。
【符号の説明】
【００６８】
１１，１２，１３，１４，１５…ホスト装置、１１１，１２１，１３１，１４１，１５１…情報検出部、１１２，１２２，１３２，１４２，１５２…電力線電源制御部、１１３，１２３，１３３，１４３，１５３…情報伝達部、１１４，１２４，１３４，１４４，１５４…判断部、１２５，１４５，１５５…情報蓄積部、１３６，１４６，１５６…代行受信部、２１，２２，２３，２４ａ，２４ｂ，２４ｃ，２５ａ…クライアント装置、２１１，２２１，２３１…電源制御部、２１４，２２４，２３４…ネットワーク制御部、２５ｂ，２５ｃ…オプション機器、ＣＡ，ＣＡａ，ＣＡｂ，ＣＡｃ…ケーブル、Ｃｐ，Ｃｐａ，Ｃｐｂ，Ｃｐｃ…電力供給線、Ｃｄ，Ｃｄａ，Ｃｄｂ，Ｃｄｃ…データ通信線
【図１】
2008099516.tif 000003
【図２】
2008099516.tif 000004
【図３】
2008099516.tif 000005
【図４】
2008099516.tif 000006
【図５】
2008099516.tif 000007
【図６】
2008099516.tif 000008
【図７】
2008099516.tif 000009
【図８】
2008099516.tif 000010
【図９】
2008099516.tif 000011
【図１０】
2008099516.tif 000012
【図１１Ａ】
2008099516.tif 000013
【図１１Ｂ】
2008099516.tif 000014